(57)【特許請求の範囲】
【請求項１】
テーブル席部（２）と間仕切り装置（３）から構成され、
テーブル席部（２）は、テーブル用スペース群（４）とテーブルセット（５）から構成され、
テーブル用スペース群（４）は、所定幅と長さをもって形成された間仕切り装置用スペース（４Ａ）を中心に、左前方のスペース部（４Ｂ）と、左中央のスペース部（４Ｃ）と、左後方のスペース部（４Ｄ）と、右前方のスペース部（４Ｅ）と、右中央のスペース部（４Ｆ）と、右後方のスペース部（４Ｇ）から構成され、テーブルセット（５）は、各スペース部（４Ｂ、４Ｃ、４Ｄ、４Ｅ、４Ｆ、４Ｇ）内における中央に設けられたテーブル（５Ａ）と、このテーブルを中心に設けられた前方の椅子（５Ｂ）と後方の椅子（５Ｃ）から構成され、
間仕切り装置（３）は、間仕切り装置用スペース（４Ａ）に配設された戸袋兼間仕切り（６）と、前方間仕切り（７）と、後方間仕切り（８）と、ロック部（９）から構成され、
戸袋兼間仕切り（６）は、左中央のスペース部（４Ｃ）と右中央のスペース部（４Ｆ）とで挟まれた状態で配設され、前方間仕切り（７）は、戸袋兼間仕切り（６）内から左前方のスペース部（４Ｂ）と右前方のスペース部（４Ｅ）との間に出入れ自在に構成され、後方間仕切り（８）は、戸袋兼間仕切り（６）内から左後方のスペース部（４Ｄ）と右後方のスペース部（４Ｇ）との間に出入れ自在に構成され、
戸袋兼間仕切り（６）は、戸袋兼間仕切り本体（６Ａ）と、Ｖレール部（６Ｂ）から構成され、戸袋兼間仕切り本体（６Ａ）は、左中央のスペース部（４Ｃ）と右中央のスペース部（４Ｆ）とで挟まれた状態で位置する平面前後に長い帯状の底面（６Ａ１）と、底面の左右辺に起立連結された左右面（６Ａ２、６Ａ２）と、左右面の上辺に張設された天井面（６Ａ３）と、左右面の前後辺に張設された前後面（６Ａ４、６Ａ５）から構成され、前面（６Ａ４）における右方側には前方間仕切り（７）が出入りする前方出入り口（６Ａ４１）が開口され、後面（６Ａ５）における左方側には後方間仕切り（８）が出入りする後方出入り口（６Ａ５１）が開口され、Ｖレール部（６Ｂ）は、前方間仕切り用Ｖレール（６Ｂ１）と後方間仕切り用Ｖレール（６Ｂ２）から構成され、前方間仕切り用Ｖレール（６Ｂ１）は、底面（６Ａ１）の上面左方に敷設され、当該前方間仕切り用Ｖレールの前端（Ｋ１）は前面（６Ａ４）より少し前方へ延出され、また、後端（Ｋ２）は後面（６Ａ５）より少し内方に位置させると共に、その位置にストッパ（６Ｂ１１）が突設され、後方間仕切り用Ｖレール（６Ｂ２）は、底面（６Ａ１）の上面右方に敷設され、当該後方間仕切り用Ｖレールの前端（Ｋ１）は前面（６Ａ４）より少し内方に位置させると共に、その位置にストッパ（６Ｂ２１）が突設され、また、後端（Ｋ２）は、後方の面（６Ａ５）より少し後方へ延出され、
前方間仕切り（７）は、前方間仕切り本体（７Ａ）と、キャスタ（７Ｂ）と、Ｖレール戸車（７Ｃ）から構成され、前方間仕切り本体（７Ａ）は、前後に長い方形に構成された仕切り体（７Ａ１）と、仕切り体（７Ａ１）の後方下端に後方に向け突設した突出部（７Ａ２）から構成され、キャスタ（７Ｂ）は、仕切り体（７Ａ１）の下面前端に床面を転動するよう取付けられ、また、Ｖレール戸車（７Ｃ）は、突出部（７Ａ２）の下面に後方間仕切り用Ｖレール（６Ｂ２）を転動するよう取付けられ、そして、このＶレール戸車（７Ｃ）の少し前方位置にはストッパ（６Ｂ２１）に係脱する突起（７Ｃ１）が下方に向け取付けられ、
後方間仕切り（８）は、後方間仕切り本体（８Ａ）と、キャスタ（８Ｂ）と、Ｖレール戸車（８Ｃ）から構成され、後方間仕切り本体（８Ａ）は、前後に長い方形に構成された仕切り体（８Ａ１）と、仕切り体（８Ａ１）の前方下端に前方に向け突設した突出部（８Ａ２）から構成され、キャスタ（８Ｂ）は、仕切り体（８Ａ１）の下面後端に床面を転動するよう取付けられ、また、Ｖレール戸車（８Ｃ）は、突出部（８Ａ２）の下面に前方間仕切り用Ｖレール（６Ｂ１）を転動するよう取付けられ、そして、このＶレール戸車（８Ｃ）の少し後方位置にはストッパ（６Ｂ１１）に係脱する突起（８Ｃ１）が下方に向け取付けられ、
ロック部（９）は、前方間仕切り用ロック（９Ａ）と後方間仕切り用ロック（９Ｂ）から構成され、
前方間仕切り用ロック（９Ａ）は、戸袋兼間仕切り本体（６Ａ）の天井面（６Ａ３）における前方部分に開設した開口部（９Ａ１）と、戸袋兼間仕切り本体（６Ａ）の左右面（６Ａ２、６Ａ２）における前方端上面の左右位置に開設された第１縦穴（９Ａ２）および第２縦穴（９Ａ３）と、前方間仕切り本体（７Ａ）の後端上辺に刻設した半円状切欠き（９Ａ４）と、前方間仕切り本体（７Ａ）の前端上面に開設された第３縦穴（９Ａ５）と、開口部（９Ａ１）の上方から嵌着する蓋（９Ａ６）と、蓋の下面に突設された第１縦穴に挿入される第１突起（９Ａ７）、第２縦穴に挿入される第２突起（９Ａ８）、半円状切欠きあるいは第３縦穴に挿入される第３突起（９Ａ９）から構成され、
後方間仕切り用ロック（９Ｂ）は、戸袋兼間仕切り本体（６Ａ）の天井面（６Ａ３）における後方部分に開設した開口部（９Ｂ１）と、戸袋兼間仕切り本体（６Ａ）の左右面（６Ａ２、６Ａ２）における後方端上面の左右位置に開設された第１縦穴（９Ｂ２）および第２縦穴（９Ｂ３）と、後方間仕切り本体（８Ａ）の前端上辺に刻設した半円状切欠き（９Ｂ４）と、後方間仕切り本体（８Ａ）の後端上面に開設された第３縦穴（９Ｂ５）と、開口部（９Ｂ１）の上方から嵌着する蓋（９Ｂ６）と、蓋の下面に突設された第１縦穴に挿入される第１突起（９Ｂ７）、第２縦穴に挿入される第２突起（９Ｂ８）、半円状切欠きあるいは第３縦穴に挿入される第３突起（９Ｂ９）から構成されていることを特徴とするテーブル席における可動式間仕切り装置。
【発明の詳細な説明】
【０００１】
【発明の属する技術分野】
本発明は、テーブル席における可動式間仕切り装置に関するものである。
【０００２】
【従来の技術】
図２５を参照して、従来提供されているテーブル席１０は、下記のような構成となっている。
４人用のスペースを設けたテーブル席の場合で説明する。
平面方形に構成されたテーブル席用スペース１０Ａの中央を縦間仕切り１０Ｂにより２等分した左方、右方のスペースを作り、これらに左方前方のテーブルセット１０Ｃ、左方中央のテーブルセット１０Ｃ１、左方後方のテーブルセット１０Ｃ２と、右方前方のテーブルセット１０Ｄ、右方中央のテーブルセット１０Ｄ１、右方後方のテーブルセット１０Ｄ２が配設されている。
【０００３】
【発明が解決しようとする課題】
従来の技術で述べたものにあっては、下記のような問題点を有していた。
１．店舗のスペースが狭い場合、８名席を作ることが困難であった。
２．間仕切りは、人手で持ち上げて移動するため使いづらかった。
３．来客数の変動に対応できない場合がある。
４．来客数にすぐに対応できない場合、待機してもらわなければならず、時間と空間を余計に使う。
【０００４】
本発明は、従来の技術の有するこのような問題点に鑑みなされたものであり、その目的とするところは、上述の問題を解決できるものを提供しようとするものである。
【０００５】
【課題を解決するための手段】
上記目的を達成するために、本発明は下記のようになるものである。
【０００６】
請求項１記載の発明は、テーブル席部２と間仕切り装置３から構成され、
テーブル席部２は、テーブル用スペース群４とテーブルセット５から構成され、テーブル用スペース群４は、所定幅と長さをもって形成された間仕切り装置用スペース４Ａを中心に、左前方のスペース部４Ｂと、左中央のスペース部４Ｃと、左後方のスペース部４Ｄと、右前方のスペース部４Ｅと、右中央のスペース部４Ｆと、右後方のスペース部４Ｇから構成され、テーブルセット５は、各スペース部４Ｂ、４Ｃ、４Ｄ、４Ｅ、４Ｆ、４Ｇ内における中央に設けられたテーブル５Ａと、このテーブルを中心に設けられた前方の椅子５Ｂと後方の椅子５Ｃから構成され、
【０００７】
間仕切り装置３は、間仕切り装置用スペース４Ａに配設された戸袋兼間仕切り６と、前方間仕切り７と、後方間仕切り８と、ロック部９から構成され、戸袋兼間仕切り６は、左中央のスペース部４Ｃと右中央のスペース部４Ｆとで挟まれた状態で配設され、前方間仕切り７は、戸袋兼間仕切り６内から左前方のスペース部４Ｂと右前方のスペース部４Ｅとの間に出入れ自在に構成され、後方間仕切り８は、戸袋兼間仕切り６内から左後方のスペース部４Ｄと右後方のスペース部４Ｇとの間に出入れ自在に構成され、
【０００８】
戸袋兼間仕切り６は、戸袋兼間仕切り本体６Ａと、Ｖレール部６Ｂから構成され、
戸袋兼間仕切り本体６Ａは、左中央のスペース部４Ｃと右中央のスペース部４Ｆとで挟まれた状態で位置する平面前後に長い帯状の底面６Ａ１と、底面の左右辺に起立連結された左右面６Ａ２、６Ａ２と、左右面の上辺に張設された天井面６Ａ３と、左右面の前後辺に張設された前後面６Ａ４、６Ａ５から構成され、前面６Ａ４における右方側には前方間仕切り７が出入りする前方出入り口６Ａ４１が開口され、後面６Ａ５における左方側には後方間仕切り８が出入りする後方出入り口６Ａ５１が開口され、
Ｖレール部６Ｂは、前方間仕切り用Ｖレール６Ｂ１と後方間仕切り用Ｖレール６Ｂ２から構成され、前方間仕切り用Ｖレール６Ｂ１は、底面６Ａ１の上面左方に敷設され、当該前方間仕切り用Ｖレールの前端Ｋ１は前面６Ａ４より少し前方へ延出され、また、後端Ｋ２は後面６Ａ５より少し内方に位置させると共に、その位置にストッパ６Ｂ１１が突設され、後方間仕切り用Ｖレール６Ｂ２は、底面６Ａ１の上面右方に敷設され、当該後方間仕切り用Ｖレールの前端Ｋ１は前面６Ａ４より少し内方に位置させると共に、その位置にストッパ６Ｂ２１が突設され、また、後端Ｋ２は、後方の面６Ａ５より少し後方へ延出され、
【０００９】
前方間仕切り７は、前方間仕切り本体７Ａと、キャスタ７Ｂと、Ｖレール戸車７Ｃから構成され、前方間仕切り本体７Ａは、前後に長い方形に構成された仕切り体７Ａ１と、仕切り体７Ａ１の後方下端に後方に向け突設した突出部７Ａ２から構成され、キャスタ７Ｂは、仕切り体７Ａ１の下面前端に床面を転動するよう取付けられ、また、Ｖレール戸車７Ｃは、突出部７Ａ２の下面に後方間仕切り用Ｖレール６Ｂ２を転動するよう取付けられ、そして、このＶレール戸車７Ｃの少し前方位置にはストッパ６Ｂ２１に係脱する突起７Ｃ１が下方に向け取付けられ、
【００１０】
後方間仕切り８は、後方間仕切り本体８Ａと、キャスタ８Ｂと、Ｖレール戸車８Ｃから構成され、後方間仕切り本体８Ａは、前後に長い方形に構成された仕切り体８Ａ１と、仕切り体８Ａ１の前方下端に前方に向け突設した突出部８Ａ２から構成され、キャスタ８Ｂは、仕切り体８Ａ１の下面後端に床面を転動するよう取付けられ、また、Ｖレール戸車８Ｃは、突出部８Ａ２の下面に前方間仕切り用Ｖレール６Ｂ１を転動するよう取付けられ、そして、このＶレール戸車８Ｃの少し後方位置にはストッパ６Ｂ１１に係脱する突起８Ｃ１が下方に向け取付けられ、
【００１１】
ロック部９は、前方間仕切り用ロック９Ａと後方間仕切り用ロック９Ｂから構成され、
前方間仕切り用ロック９Ａは、戸袋兼間仕切り本体６Ａの天井面６Ａ３における前方部分に開設した開口部９Ａ１と、戸袋兼間仕切り本体６Ａの左右面６Ａ２、６Ａ２における前方端上面の左右位置に開設された第１縦穴９Ａ２および第２縦穴９Ａ３と、前方間仕切り本体７Ａの後端上辺に刻設した半円状切欠き９Ａ４と、前方間仕切り本体７Ａの前端上面に開設された第３縦穴９Ａ５と、開口部９Ａ１の上方から嵌着する蓋９Ａ６と、蓋の下面に突設された第１縦穴に挿入される第１突起９Ａ７、第２縦穴に挿入される第２突起９Ａ８、半円状切欠きあるいは第３縦穴に挿入される第３突起９Ａ９から構成され、
【００１２】
後方間仕切り用ロック９Ｂは、戸袋兼間仕切り本体６Ａの天井面６Ａ３における後方部分に開設した開口部９Ｂ１と、戸袋兼間仕切り本体６Ａの左右面６Ａ２、６Ａ２における後方端上面の左右位置に開設された第１縦穴９Ｂ２および第２縦穴９Ｂ３と、後方間仕切り本体８Ａの前端上辺に刻設した半円状切欠き９Ｂ４と、後方間仕切り本体８Ａの後端上面に開設された第３縦穴９Ｂ５と、開口部９Ｂ１の上方から嵌着する蓋９Ｂ６と、蓋の下面に突設された第１縦穴に挿入される第１突起９Ｂ７、第２縦穴に挿入される第２突起９Ｂ８、半円状切欠きあるいは第３縦穴に挿入される第３突起９Ｂ９から構成されていることを特徴とするものである。
【００１３】
【発明の実施の形態】
以下、本発明の実施の形態を実施例にもとづき図面を参照して説明する。
１は本発明のテーブル席における可動式間仕切り装置である。
テーブル席部２と間仕切り装置３から構成されている。
【００１４】
テーブル席部２は、テーブル用スペース群４とテーブルセット５から構成されている。
Ａ．テーブル用スペース群４は、所定幅と長さをもって形成された間仕切り装置用スペース４Ａを中心に、左前方のスペース部４Ｂと、左中央のスペース部４Ｃと、左後方のスペース部４Ｄと、右前方のスペース部４Ｅと、右中央のスペース部４Ｆと、右後方のスペース部４Ｇから構成されている。
Ｂ．テーブルセット５は、各スペース部４Ｂ、４Ｃ、４Ｄ、４Ｅ、４Ｆ、４Ｇ内における中央に設けられたテーブル５Ａと、このテーブルを中心に設けられた前方の椅子５Ｂと後方の椅子５Ｃから構成されている。
【００１５】
間仕切り装置３は、間仕切り装置用スペース４Ａに配設された戸袋兼間仕切り６と、前方間仕切り７と、後方間仕切り８と、ロック部９から構成されている。
Ａ．戸袋兼間仕切り６は、左中央のスペース部４Ｃと右中央のスペース部４Ｆとで挟まれた状態で配設されている。
Ｂ．前方間仕切り７は、戸袋兼間仕切り６内から左前方のスペース部４Ｂと右前方のスペース部４Ｅとの間に出入れ自在に構成されている。
Ｃ．後方間仕切り８は、戸袋兼間仕切り６内から左後方のスペース部４Ｄと右後方のスペース部４Ｇとの間に出入れ自在に構成されている。
【００１６】
Ｄ．戸袋兼間仕切り６の詳細を説明する。
ａ．戸袋兼間仕切り６は、戸袋兼間仕切り本体６Ａと、Ｖレール部６Ｂから構成されている。
イ．戸袋兼間仕切り本体６Ａは、左中央のスペース部４Ｃと右中央のスペース部４Ｆとで挟まれた状態で位置する平面前後に長い帯状の底面６Ａ１と、底面の左右辺に起立連結された左右面６Ａ２、６Ａ２と、左右面の上辺に張設された天井面６Ａ３と、左右面の前後辺に張設された前後面６Ａ４、６Ａ５から構成されている。
ロ．前面６Ａ４における右方側には前方間仕切り７が出入りする前方出入り口６Ａ４１が開口され、後面６Ａ５における左方側には後方間仕切り８が出入りする後方出入り口６Ａ５１が開口されている。
ｂ．Ｖレール部６Ｂは、前方間仕切り用Ｖレール６Ｂ１と後方間仕切り用Ｖレール６Ｂ２から構成されている。
イ．前方間仕切り用Ｖレール６Ｂ１は、底面６Ａ１の上面左方に敷設され、当該前方間仕切り用Ｖレールの前端Ｋ１は前面６Ａ４より少し前方へ延出され、また、後端Ｋ２は後面６Ａ５より少し内方に位置させると共に、その位置にストッパ６Ｂ１１が突設されている。
ロ．後方間仕切り用Ｖレール６Ｂ２は、底面６Ａ１の上面右方に敷設され、当該後方間仕切り用Ｖレールの前端Ｋ１は前面６Ａ４より少し内方に位置させると共に、その位置にストッパ６Ｂ２１が突設され、また、後端Ｋ２は、後方の面６Ａ５より少し後方へ延出されている。
【００１７】
Ｅ．前方間仕切り７の詳細を説明する。
ａ．前方間仕切り７は、前方間仕切り本体７Ａと、キャスタ７Ｂと、Ｖレール戸車７Ｃから構成されている。
ｂ．前方間仕切り本体７Ａは、前後に長い方形に構成された仕切り体７Ａ１と、仕切り体７Ａ１の後方下端に後方に向け突設した突出部７Ａ２から構成されている。
ｃ．キャスタ７Ｂは、仕切り体７Ａ１の下面前端に床面を転動するよう取付けられ、また、Ｖレール戸車７Ｃは、突出部７Ａ２の下面に後方間仕切り用Ｖレール６Ｂ２を転動するよう取付けられている。
そして、このＶレール戸車７Ｃの少し前方位置にはストッパ６Ｂ２１に係脱する突起７Ｃ１が下方に向け取付けられている。
【００１８】
Ｆ．後方間仕切り８の詳細を説明する。
ａ．後方間仕切り８は、後方間仕切り本体８Ａと、キャスタ８Ｂと、Ｖレール戸車８Ｃから構成されている。
ｂ．後方間仕切り本体８Ａは、前後に長い方形に構成された仕切り体８Ａ１と、仕切り体８Ａ１の前方下端に前方に向け突設した突出部８Ａ２から構成されている。
ｃ．キャスタ８Ｂは、仕切り体８Ａ１の下面後端に床面を転動するよう取付けられ、また、Ｖレール戸車８Ｃは、突出部８Ａ２の下面に前方間仕切り用Ｖレール６Ｂ１を転動するよう取付けられている。
そして、このＶレール戸車８Ｃの少し後方位置にはストッパ６Ｂ１１に係脱する突起８Ｃ１が下方に向け取付けられている。
【００１９】
Ｇ．ロック部９の詳細を説明する。
ロック部９は、前方間仕切り用ロック９Ａと後方間仕切り用ロック９Ｂから構成されている。
ａ．前方間仕切り用ロック９Ａは、図１９、２０、２１を参照して、戸袋兼間仕切り本体６Ａの天井面６Ａ３における前方部分に開設した開口部９Ａ１と、戸袋兼間仕切り本体６Ａの左右面６Ａ２、６Ａ２における前方端上面の左右位置に開設された第１縦穴９Ａ２および第２縦穴９Ａ３と、前方間仕切り本体７Ａの後端上辺に刻設した半円状切欠き９Ａ４と、前方間仕切り本体７Ａの前端上面に開設された第３縦穴９Ａ５と、開口部９Ａ１の上方から嵌着する蓋９Ａ６と、蓋の下面に突設された第１縦穴に挿入される第１突起９Ａ７、第２縦穴に挿入される第２突起９Ａ８、半円状切欠きあるいは第３縦穴に挿入される第３突起９Ａ９から構成されている。
【００２０】
ｂ．後方間仕切り用ロック９Ｂは、図２２、２３、２４を参照して、戸袋兼間仕切り本体６Ａの天井面６Ａ３における後方部分に開設した開口部９Ｂ１と、戸袋兼間仕切り本体６Ａの左右面６Ａ２、６Ａ２における後方端上面の左右位置に開設された第１縦穴９Ｂ２および第２縦穴９Ｂ３と、後方間仕切り本体８Ａの前端上辺に刻設した半円状切欠き９Ｂ４と、後方間仕切り本体８Ａの後端上面に開設された第３縦穴９Ｂ５と、開口部９Ｂ１の上方から嵌着する蓋９Ｂ６と、蓋の下面に突設された第１縦穴に挿入される第１突起９Ｂ７、第２縦穴に挿入される第２突起９Ｂ８、半円状切欠きあるいは第３縦穴に挿入される第３突起９Ｂ９から構成されている。
なお、図中、Ｗは埋め込み式の窓である。
【００２１】
【発明の効果】
本発明は、上述の通り構成されているので次に記載する効果を奏する。
１．来客数に対応した席を容易に作ることができる。
すなわち、４名用テーブルセットと４名用テーブルセットの間の前方間仕切り７と後方間仕切り８が可動式であるため８名の来客の時、間仕切りを移動してすぐに８名席を用意できる。
２．４名ずつでテーブルセットを使うこともでき、顧客を待たせないですむ。
３．顧客の前で間仕切りを開閉することで、客の数に対応する席数を用意することができる。
この結果、案内がすぐにできるので、顧客の待機時間が少ない。
４．待機時間が少ないので待合スペース自体もそれほどの空間を必要とせず、その分、他の空間として活用できる。
５．仕組みが単純なので壊れにくく、メンテナンスも行いやすい。
６．このほか、安価に製造できる、部品点数が少ないので組立が容易である、経済的である、などの効果をも有するものである。
【図面の簡単な説明】
【図１】全体の配列を説明する略図的平面図である。
【図２】全体の配列を説明する略図的平面図である。
【図３】全体の配列を説明する略図的平面図である。
【図４】全体の配列を説明する略図的斜視図である。
【図５】全体の配列を説明する略図的斜視図である。
【図６】間仕切り装置の分解斜視図である。
【図７】間仕切り装置を前面方向から見た１部を切欠いた斜視図である。
【図８】間仕切り装置を背面方向から見た１部を切欠いた斜視図である。
【図９】前方間仕切りの斜視図である。
【図１０】図９の要部を底面方向から見た斜視図である。
【図１１】図９の要部を底面方向から見た斜視図である。
【図１２】後方間仕切りの斜視図である。
【図１３】図１２の要部を底面方向から見た斜視図である。
【図１４】図１２の要部を底面方向から見た斜視図である。
【図１５】前方間仕切りの作用を説明する１部を省略した縦断面図である。
【図１６】Ａ−Ａ線拡大端面図である。
【図１７】後方間仕切りの作用を説明する１部を省略した縦断面図である。
【図１８】Ｂ−Ｂ線拡大端面図である。
【図１９】前方間仕切り用ロックの作用を説明する要部の分解斜視図である。
【図２０】前方間仕切り用ロックの作用を説明する要部の分解斜視図である。
【図２１】前方間仕切り用ロックの蓋を反転させた状態の斜視図である。
【図２２】後方間仕切り用ロックの作用を説明する要部の分解斜視図である。
【図２３】後方間仕切り用ロックの作用を説明する要部の分解斜視図である。
【図２４】後方間仕切り用ロックの蓋を反転させた状態の斜視図である。
【図２５】従来の一例を説明する略図的平面図である。
【符号の説明】
１  テーブル席における可動式間仕切り装置
２  テーブル席部
３  間仕切り装置
【図１】
0003621366.tif 000002
【図２】
0003621366.tif 000003
【図３】
0003621366.tif 000004
【図４】
0003621366.tif 000005
【図５】
0003621366.tif 000006
【図６】
0003621366.tif 000007
【図７】
0003621366.tif 000008
【図８】
0003621366.tif 000009
【図９】
0003621366.tif 000010
【図１０】
0003621366.tif 000011
【図１１】
0003621366.tif 000012
【図１２】
0003621366.tif 000013
【図１３】
0003621366.tif 000014
【図１４】
0003621366.tif 000015
【図１５】
0003621366.tif 000016
【図１６】
0003621366.tif 000017
【図１７】
0003621366.tif 000018
【図１８】
0003621366.tif 000019
【図１９】
0003621366.tif 000020
【図２０】
0003621366.tif 000021
【図２１】
0003621366.tif 000022
【図２２】
0003621366.tif 000023
【図２３】
0003621366.tif 000024
【図２４】
0003621366.tif 000025
【図２５】
0003621366.tif 000026